(57)【要約】【課題】  自動車に乗せて運搬しても、不快な異音が発生することのない折り畳み可能なペットケージを提供する。【解決手段】  第１及び第２の天板２，３、第１及び第２の底板４，５、第１及び第２の側板６，７、正面板８、背面板９、及び正面板８に開閉自在に取り付けられた開閉板１０より成り、これらの構成部材がブロー成形品により構成されている。【選択図】  図５
2005312321.tif 000002
【特許請求の範囲】
【請求項１】
折り畳み可能なペットケージにおいて、該ペットケージの構成部材が、ブロー成形により成形され、内部が中空に形成された樹脂成形品より成ることを特徴とするペットケージ。
【発明の詳細な説明】
【技術分野】
【０００１】
本発明は、特に自動車に載せて持ち運ぶのに適した折り畳み可能なペットケージに関するものである。
【背景技術】
【０００２】
犬や猫などのペットを収容して持ち運ぶペットケージは、従来より各種形式のものが提案され、かつ実用化されている。その代表的なものは、６枚の平坦な金網体を直方体状に組み立てたペットケージである。かかるペットケージにペットを収容し、これを例えば自動車に搭載して持ち運ぶことができる。また、ペットケージの非使用時には、その各金網体を折り畳み、ケージ全体を小さくまとめておくことができる。
【０００３】
ところが、従来のこの種のペットケージは金網により構成されているので、これを自動車に載せて持ち運ぶとき、金網が振動して「カチャカチャ」という不快な異音を発生するおそれがある。しかも金網は硬質で角張っているので、ペットケージ内のペットへのいたわりに欠ける点にも問題があった。
【０００４】
合成樹脂製のペットケージも公知であるが（例えば、特許文献１参照）、従来のこの種のペットケージも、ペットに対するいたわりについては特に考慮が払われていなかった。
【０００５】
【特許文献１】実公昭６３−３４５２１号公報
【発明の開示】
【発明が解決しようとする課題】
【０００６】
本発明の目的は、上記従来の欠点を除去したペットケージを提供することにある。
【課題を解決するための手段】
【０００７】
本発明は、上記目的を達成するため、折り畳み可能なペットケージにおいて、該ペットケージの構成部材が、ブロー成形により成形され、内部が中空に形成された樹脂成形品より成ることを特徴とするペットケージを提案する。
【発明の効果】
【０００８】
本発明によれば、ペットケージの構成部材が樹脂成形品より成るので、そのペットケージを自動車に載せて持ち運ぶときも、不快な異音が発生することはない。しかも、その構成部材が、ブロー成形品より成るので、各構成部材は角張っておらず、しかもその各部材にばりが形成されていることもない。このため、ペットケージにペットを入れ、これを運搬する際、ペットに対するいたわりが欠けるという問題が発生することはない。
【発明を実施するための最良の形態】
【０００９】
以下、本発明の実施形態例を図面に従って詳細に説明する。
【００１０】
図１乃至図４は、折り畳み可能なペットケージ１の一例を示す斜視図であり、図５はそのペットケージ１の構成部材の組み付け前の状態を示した斜視図である。これらの図に示すように、ペットケージ１は、第１及び第２の天板２，３と、第１及び第２の底板４，５と、第１及び第２の側板６，７と、正面板８と、背面板９と、正面板８に開開閉自在に取り付けられた開閉板１０の各構成部材から構成されている。これらの各構成部材が図１に示すように組み立てられた状態で、第１及び第２の天板２，３と、第１及び第２の底板４，５が互いに対向し、しかも第１及び第２の側板６，７が互いに対向する。さらに、正面板８と背面板９が互いに対向して位置する。このとき、第１及び第２の側板６，７は、図示していないストッパによって、図１に示した閉位置にロックされている。同様に開閉板１０も図１に示した閉位置にロックされている。
【００１１】
かかるペットケージ１の開閉板１０のロックを解除して、その開閉板１０を図１に矢印Ａで示した方向に開いて、その内部に図示していないペットを入れ、再びその開閉板１０を閉じて、これをロックし、その状態でペットケージ１を例えば自動車に載せて持ち運ぶことができる。
【００１２】
第１及び第２の底板４，５を除く各構成部材には、それぞれ窓孔が形成され、これらの窓孔には金網体が固定されている。
【００１３】
ペットケージ１の非使用時には、このペットケージ１を次のように折り畳むことができる。先ず、図２に示すように、第１及び第２の側板６，７のロックを解除して、これらの側板６，７をペットケージ１の内部側に押し込んで回動させる。次いで、図３に示すように、第１及び第２の天板２，３に上方から力を加えることにより、これらを互いに曲折させ、同時に第１及び第２の底板４，５に下方から力を加えてこれらを互いに曲折させ、ペットケージ１の全体を図４に示したように薄い板状に折り畳む。
【００１４】
上述したペットケージ１の各構成部材は、ブロー成形により成形され、内部が中空に形成された樹脂成形品より成る。このため、ペットケージ１を自動車に載せて運搬するとき、そのペットケージ１が多少振動しても、従来のペットケージのような不快な異音が発生することはない。また、ブロー成形品より成る構成部材は、角張っておらず、しかもその成形時にばりができることもないので、ペットケージ１にペットを入れて運搬するとき、そのペットに対するいたわりが欠けるという問題は発生しない。
【００１５】
次に、各構成部材を組み付けてペットケージ１を製造するときの様子を説明しながら、ペットケージ１の他の構成を明らかにする。
【００１６】
図５に示すように、第１及び第２の底板４，５には、その縁に沿って３個ずつの舌片１１，１１Ａ，１１Ｂ；１２，１２Ａ，１２Ｂがそれぞれ一体に成形され、さらに１つずつの凹部１３，１４が形成されている。図６は、図５のVI−VI線拡大断面図であるが、この図に示すように、舌片１１は、その基端側が肉厚の薄くなった薄肉ヒンジ部１５として形成され、その薄肉ヒンジ部１５よりも先端側の先端部１６の厚さは、薄肉ヒンジ部１５の厚さよりも厚くなっている。他の舌片１１Ａ，１１Ｂ，１２，１２Ａ，１２Ｂも、舌片１１と同じく形成され、これらの舌片１１Ａ，１１Ｂ，１２，１２Ａ，１２Ｂの薄肉ヒンジ部と先端部も、それぞれ符号１５，１６を用いて説明することにする。但し、図６以外の図には、符号１５，１６の記入は省略してある。
【００１７】
ここで、第１及び第２の底板４，５を互いに平行に配置し、その第１の底板４の舌片１１Ｂの先端部１６を、第２の底板５に形成された凹部１４に嵌合し、第２の底板５の舌片１２Ｂの先端部１６を、第１の底板４に形成された凹部１３に嵌合する。この状態で、その各舌片１１Ｂ，１２Ｂの先端部１６と各凹部１４，１３に熱を加えてこれらを溶融し、各先端部１６と各凹部１４，１３を互いに溶着する。これにより、第１及び第２の底板４，５は、互いに一体に連結されると共に、各舌片１１Ｂ，１２Ｂの薄肉ヒンジ部１５の部位にて互いに曲折することができる。
【００１８】
一方、第１及び第２の天板２，３にも、先に示した舌片及び凹部と同じく形成された３つずつの舌片１７，１７Ａ，１７Ｂ；１８，１８Ａ，１８Ｂと凹部１９，２０がそれぞれ形成されている。これらの舌片１７，１７Ａ，１７Ｂ；１８，１８Ａ，１８Ｂの薄肉ヒンジ部と先端部も、それぞれ符号１５，１６を用いて説明することにする。但し、図にはこれらの符号は記入されていない。第１及び第２の天板２，３は、第１及び第２の底板４，５と全く同様にして一体に連結され、従って、第１及び第２の天板２，３も、舌片１７Ｂと１８Ｂの薄肉ヒンジ部１５の部位で互いに曲折することができる。
【００１９】
また、図５に示すように、正面板８の下部と上部には、凹部２１，２１Ａ；２２，２２Ａがそれぞれ形成され、下部の凹部２１，２１Ａに、第１の底板４に形成された舌片１１，１１Ａの先端部１６をそれぞれ嵌合し、これらを加熱して熱溶着する。同じく、上部の凹部２２，２２Ａに、第１の天板２に形成された舌片１７，１７Ａの先端部１６を嵌合し、これらを加熱して互いに熱溶着する。
【００２０】
同様に、図５に示すように、背面板９の上部と下部にも、凹部２３，２３Ａ；２４，２４Ａがそれぞれ形成され、その下部の凹部２４，２４Ａに、第２の底板５に形成された舌片１２，１２Ａの先端部１６をそれぞれ嵌合して、これらを熱溶着し、上部の凹部２３，２３Ａに第２の天板３に形成された舌片１８，１８Ａの先端部１６を嵌合して、これらを熱溶着する。
【００２１】
上述のように、各構成部材を舌片を介して一体に連結することにより、互いに連結された構成部材同士が、その舌片の薄肉ヒンジ部の部位にて、図３及び図４に示したように曲折することができる。
【００２２】
また、第１の側板６の上部と下部には、同心状に配置されたピン２５，２５Ａが突設され、これらのピン２５，２５Ａを、正面板８の上部と下部に形成された穴２６，２６Ａに回転自在に嵌合する。これにより、第１の側板６が正面板８に対して図２に示したように回動することができる。
【００２３】
同様に、第２の側板７の上部と下部にもピン２７，２７Ａが突設されていて、その各ピン２７，２７Ａを、背面板９の上部と下部に形成された穴２８，２８Ａに回転自在に嵌合する。これにより、第２の側板７も、背面板９に対して図２に示したように回動することができる。
【００２４】
また、図５に示すように、開閉板１０にも、先に示した舌片と同様に形成された舌片２９，２９Ａが一体に形成され、これらの舌片２９，２９Ａの先端部を正面板８に形成された凹部３０，３０Ａにそれぞれ嵌合し、これらを加熱して熱溶着する。これにより、開閉体１０を、舌片２９，２９Ａの薄肉ヒンジ部のまわりに、図１に矢印Ａで示した方向に回動させることができる。
【００２５】
以上説明した各凹部に図６に示すような位置決め穴３１を形成すると共に、舌片には位置決め突部３２を形成し、舌片と凹部を嵌合したとき、位置決め突部３２が位置決め穴３１に係合するように構成すれば、舌片を凹部に対して正しく位置決めすることができる。
【図面の簡単な説明】
【００２６】
【図１】ペットケージの斜視図である。
【図２】ペットケージを折り畳むときの様子を示す斜視図である。
【図３】ペットケージを折り畳むときの様子を示す斜視図である。
【図４】ペットケージを折り畳んだときの状態を示す斜視図である。
【図５】ペットケージの構成部材を組み付ける前の様子を示す斜視図である。
【図６】図５のVI−VI線拡大断面図である。
【符号の説明】
【００２７】
１  ペットケージ
【図１】
2005312321.tif 000003
【図２】
2005312321.tif 000004
【図３】
2005312321.tif 000005
【図４】
2005312321.tif 000006
【図５】
2005312321.tif 000007
【図６】
2005312321.tif 000008